(57)【要約】  【課題】施工性の向上を図れるパネル装置を提供する。  【解決手段】パネル装置は、支柱部７から側方に突出する第１突出部25および第２突出部26を有する上側パネル支持体21と、支柱部７から側方に突出する第１突出部33および第２突出部34を有する下側パネル支持体22とを備える。第１パネル体16の固定部19を第１突出部25，33に第１固定手段41にて固定する。第２パネル体の固定部19を第２突出部26，34に第２固定手段にて固定する。  【選択図】図４
2006112035.tif 000002
【特許請求の範囲】
【請求項１】
支柱部に取り付けられる取付部を有するとともに、前記支柱部から側方に向って突出する第１突出部および第２突出部を有するパネル支持体と、
側端部に固定部を有する第１パネル体と、
この第１パネル体と隣合うように配設され、側端部に固定部を有する第２パネル体と、
前記第１パネル体の前記固定部を前記パネル支持体の前記第１突出部に固定するための第１固定手段と、
前記第２パネル体の前記固定部を前記パネル支持体の前記第２突出部に固定するための第２固定手段と
を備えることを特徴とするパネル装置。
【請求項２】
パネル支持体の第１突出部は、第１パネル体の下端部が嵌入されこの嵌入された部分を保持する凹状保持部分を有し、
パネル支持体の第２突出部は、第２パネル体の下端部が嵌入されこの嵌入された部分を保持する凹状保持部分を有する
ことを特徴とする請求項１記載のパネル装置。
【請求項３】
第１固定手段および第２固定手段は、いずれもボルト部材およびこのボルト部材に螺合するナット部材を備え、
前記ボルト部材は、外周面にねじ溝が形成された軸状部と、この軸状部の端部に設けられた板状部とを有し、
前記ナット部材は、内周面にねじ溝が形成され前記ボルト部材の軸状部が入り込む筒状部と、この筒状部の端部に設けられた板状部とを有する
ことを特徴とする請求項１または２記載のパネル装置。
【請求項４】
バルコニの手摺パネル部として用いられる
ことを特徴とする請求項１ないし３のいずれか一記載のパネル装置。
【発明の詳細な説明】
【技術分野】
【０００１】
本発明は、施工性の向上を図ることができるパネル装置に関するものである。
【背景技術】
【０００２】
従来、例えば各パネル材の側端部の３箇所に固定片を取り付け、各固定片の片部を支柱の前端面に当接させ、各片部の貫通孔からねじを支柱に対してねじ込んで、各パネル材を支柱に固定するようにしたパネル装置が知られている（例えば、特許文献１参照）。
【特許文献１】特開２００１−２２７０５６号公報
【発明の開示】
【発明が解決しようとする課題】
【０００３】
しかしながら、上記従来のパネル装置では、パネル材への各固定片の取付作業、支柱への各固定片の取付作業等に手間がかかり、施工に対して非効率的である。
【０００４】
本発明は、このような点に鑑みなされたもので、施工性の向上を図ることができるパネル装置を提供することを目的とする。
【課題を解決するための手段】
【０００５】
請求項１記載のパネル装置は、支柱部に取り付けられる取付部を有するとともに、前記支柱部から側方に向って突出する第１突出部および第２突出部を有するパネル支持体と、側端部に固定部を有する第１パネル体と、この第１パネル体と隣合うように配設され、側端部に固定部を有する第２パネル体と、前記第１パネル体の前記固定部を前記パネル支持体の前記第１突出部に固定するための第１固定手段と、前記第２パネル体の前記固定部を前記パネル支持体の前記第２突出部に固定するための第２固定手段とを備えるものである。
【０００６】
そして、第１パネル体の固定部をパネル支持体の第１突出部に第１固定手段にて固定し、第２パネル体の固定部をパネル支持体の第２突出部に第２固定手段にて固定する構成であるから、施工性の向上を図ることが可能である。
【０００７】
請求項２記載のパネル装置は、請求項１記載のパネル装置において、パネル支持体の第１突出部は、第１パネル体の下端部が嵌入されこの嵌入された部分を保持する凹状保持部分を有し、パネル支持体の第２突出部は、第２パネル体の下端部が嵌入されこの嵌入された部分を保持する凹状保持部分を有するものである。
【０００８】
そして、パネル支持体の第１突出部の凹状保持部分にて第１パネル体の下端部を適切に保持可能であり、パネル支持体の第２突出部の凹状保持部分にて第２パネル体の下端部を適切に保持可能である。
【０００９】
請求項３記載のパネル装置は、請求項１または２記載のパネル装置において、第１固定手段および第２固定手段は、いずれもボルト部材およびこのボルト部材に螺合するナット部材を備え、前記ボルト部材は、外周面にねじ溝が形成された軸状部と、この軸状部の端部に設けられた板状部とを有し、前記ナット部材は、内周面にねじ溝が形成され前記ボルト部材の軸状部が入り込む筒状部と、この筒状部の端部に設けられた板状部とを有するものである。
【００１０】
そして、特殊形状のボルト部材およびナット部材を用いることで、ねじ溝が外から見えず、意匠性の向上を図ることが可能である。
【００１１】
請求項４記載のパネル装置は、請求項１ないし３のいずれか一記載のパネル装置において、バルコニの手摺パネル部として用いられるものである。
【００１２】
そして、バルコニの手摺パネル部の施工に際し、その施工性の向上を図ることが可能である。
【発明の効果】
【００１３】
請求項１に係る発明によれば、第１パネル体の固定部をパネル支持体の第１突出部に第１固定手段にて固定し、第２パネル体の固定部をパネル支持体の第２突出部に第２固定手段にて固定する構成であるから、施工性の向上を図ることができる。
【００１４】
請求項２に係る発明によれば、パネル支持体の第１突出部の凹状保持部分にて第１パネル体の下端部を適切に保持でき、パネル支持体の第２突出部の凹状保持部分にて第２パネル体の下端部を適切に保持できる。
【００１５】
請求項３に係る発明によれば、特殊形状のボルト部材およびナット部材を用いることで、ねじ溝が外から見えないようにでき、意匠性の向上を図ることができる。
【００１６】
請求項４に係る発明によれば、バルコニの手摺パネル部の施工に際し、その施工性の向上を図ることができる。
【発明を実施するための最良の形態】
【００１７】
本発明のパネル装置の一実施の形態を図面を参照して説明する。
【００１８】
図１において、１は建物付設物であるバルコニで、このバルコニ１は、床部２と、床部２の周縁から立ち上がった壁部３と、壁部３の上端部に設けられた手摺機能を兼ね備えたパネル装置（手摺パネル部）４とを具備している。
【００１９】
そして、パネル装置４は、図２ないし図４にも示すように、バルコニ１の壁部３の上端部に設けられたベース部６と、ベース部６に互いに間隔をおいて立設された複数の支柱部７と、支柱部７の上端部に各支柱部７を跨ぐように設けられた手摺部８とを備えている。各支柱部７は、例えば上下方向長手状で断面略正方形状の角パイプ等の筒状部材11にて構成されている。また、手摺部８は、例えば笠木底板12と、この笠木底板12に嵌着された笠木部材13とにて構成されている。
【００２０】
また、パネル装置４は、ベース部６および手摺部８間に並設された略矩形板状で透明なガラス製の複数枚のパネル体、すなわち水平方向に近接して並んだ第１パネル体16および第２パネル体17等を備えている。なお、互いに隣合う第１パネル体16および第２パネル体17は、例えば同一形状のもので、いずれも両側の側端部の上下端位置に孔部18が形成され、その側端部が固定部19となっている。
【００２１】
さらに、パネル装置４は、支柱部７の上側に取り付けられた上側パネル支持体21と、支柱部７の下側に取り付けられた下側パネル支持体（パネル支持体）22とを備えている。
【００２２】
そして、図４に示されるように、上側パネル支持体21は、支柱部７の上側における外側の面（つまりバルコニ内に面した内側の面とは反対側の面）に固定具であるねじ23にて取り付けられた略矩形板状の取付部24を有している。この取付部24の両側には、支柱部７の両側の側端位置からそれぞれ側方に向って突出する第１突出部25および第２突出部26が一体に設けられている。
【００２３】
各突出部25，26は、取付部24の側端部から外側に向って突出した連絡板部分27と、この連絡板部分27の先端部から側方に向って突出した板部分28とにて構成され、この板部分28には孔部29が形成されている。
【００２４】
また、下側パネル支持体22は、支柱部７の下側における外側の面（つまりバルコニ内に面した内側の面とは反対側の面）に固定具であるねじ31にて取り付けられた略矩形板状の取付部32を有している。この取付部32の両側には、支柱部７の両側の側端位置からそれぞれ側方に向って突出する第１突出部33および第２突出部34が一体に設けられている。
【００２５】
各突出部33，34は、取付部32の側端部から外側に向って突出した連絡板部分35と、この連絡板部分35の先端部から側方に向って突出した板部分36と、この板部分36の下端部に一体に設けられ上方に向って開口した凹状保持部分37とにて構成され、その板部分36には孔部38が形成されている。
【００２６】
なお、下側パネル支持体22が一方側に有する第１突出部33の凹状保持部分37には第１パネル体16の側端下端部が嵌入され、この嵌入された部分がその凹状保持部分37にて保持される。また、下側パネル支持体22が他方側に有する第２突出部34の凹状保持部分37には第２パネル体17の側端下端部が嵌入され、この嵌入された部分がその凹状保持部分37にて保持される。
【００２７】
そして、図３に示されるように、第１パネル体16における第２パネル体17の固定部19と近接対向する固定部19が、上側パネル支持体21の第１突出部25の板部分28および下側パネル支持体22の第１突出部33の板部分36に第１固定手段41にてそれぞれ固定される。また、第２パネル体17における第１パネル体16の固定部19と近接対向する固定部19が、上側パネル支持体21の第２突出部26の板部分28および下側パネル支持体22の第２突出部34の板部分36に第２固定手段42にてそれぞれ固定される。なお、互いに近接対向した固定部19，19間には、わずかな間隙43が形成される。
【００２８】
ここで、第１固定手段41および第２固定手段42は、いずれも、例えば特殊形状のボルト部材45と、このボルト部材45に螺合する特殊形状のナット部材46とにて構成されている。
【００２９】
ボルト部材45は、ボルト機能を持った金具で、図５、図６および図７に示されるように、外周面にねじ溝51が形成された略円柱状の軸状部52と、この軸状部52の端部に一体に設けられた略円板状の板状部53とを有している。板状部53における軸状部52側とは反対側の面は球冠面状に形成され、この球冠面状の面には板状部53の中心を通りこの板状部53の径方向に延びる溝部54が形成されている。そして、この溝部54を利用することによりボルト部材45をドライバ等の工具で簡単に操作可能となっている。
【００３０】
また、ナット部材46は、ナット機能を持った金具で、図５、図６および図８に示されるように、内周面にねじ溝56が形成され外周面が円筒面状に形成された略円筒状の筒状部57と、この筒状部57の端部に一体に設けられた略円板状の板状部58とを有している。板状部58は、ボルト部材45の板状部53と略同じ外径寸法のもので、この板状部58における筒状部57側とは反対側の面は、ボルト部材45の板状部53と略同じ曲率半径をもった球冠面状に形成されている。また、この板状部58の外周面部には凸凹部59が形成されている。なお、ナット部材46の筒状部57の外径は、孔部18，38の開口径より小さい寸法となっている。
【００３１】
また一方、図２および図３に示すように、パネル装置４は、各パネル体に対応するように笠木底板12に取り付けられたパネル保持体61を備えている。
【００３２】
このパネル保持体61は、笠木底板12の下面に固定具であるねじ62にて取り付けられた略矩形板状の取付部63と、この取付部63の外側端部に一体に設けられ下方に向って開口した凹状の保持部64とを有している。この保持部64内には弾性変形可能な弾性部材65が嵌め込まれている。
【００３３】
そして、手摺部８の笠木底板12に第１パネル体16に対応して取り付けられたパネル保持体（第１パネル保持体）61には、第１パネル体16の水平方向略中央の上端部が嵌入され、この嵌入された部分がそのパネル保持体61にて保持される。また、手摺部８の笠木底板12に第２パネル体17に対応して取り付けられたパネル保持体（第２パネル保持体）61には、第２パネル体17の水平方向略中央の上端部が嵌入され、この嵌入された部分がそのパネル保持体61にて保持される。
【００３４】
次に、上記一実施の形態の作用等を説明する。
【００３５】
バルコニ１のパネル装置４の施工時において、第１パネル体16を支柱部７に対してパネル支持体21，22等を介して固定する場合、まず、図９（ａ）に示すように、第１パネル体16の上端部をパネル保持体61の保持部64に嵌入し、その後、図９（ｂ）に示すように、第１パネル体16の下端部を下側パネル支持体22の凹状保持部分37に嵌入して、第１パネル体16を３点で仮押えする。
【００３６】
次いで、図９（ｃ）に示すように、ボルト部材45およびナット部材46を用いて、第１パネル体16を上側パネル支持体21および下側パネル支持体22に固定する。
【００３７】
すなわち例えば図５および図６に示すように、互いに一致した孔部18，38にナット部材46の筒状部57を差し込み、この差し込んだ筒状部57にボルト部材45の軸状部52を螺合する。このとき、凸凹部59を利用してナット部材46の回転を規制しつつ、溝部54を利用してボルト部材45をその軸状部52全体が筒状部57の内側に入り込むまで回転操作する。
【００３８】
なお、第２パネル体17および他のパネル体についても、隣合う相互のパネル体の側端部を近接対向させて連続的に配設する場合には、第１パネル体16の場合と同様、ボルト部材45およびナット部材46を用いて上側パネル支持体21および下側パネル支持体22に固定する。
【００３９】
そして、上記パネル装置４によれば、第１パネル体16の一方側の固定部19を上側パネル支持体21の第１突出部25および下側パネル支持体22の第１突出部33に第１固定手段41にて固定し、第２パネル体17のうち第１パネル体16の一方側の固定部19と近接対向する他方側の固定部19を上側パネル支持体21の第２突出部26および下側パネル支持体22の第２突出部34に第２固定手段42にて固定する構成であるから、支柱部７に対する各パネル体の固定作業が容易となり、施工性の向上を図ることができる。
【００４０】
また、パネル保持体61の保持部64と下側パネル支持体22の凹状保持部分37とにて各パネル体を適切に保持できるため、施工性をより一層向上できる。
【００４１】
さらに、第１固定手段41および第２固定手段42として特殊形状のボルト部材45およびナット部材46を用いることで、意匠性の向上を図ることができる。
【００４２】
なお、上記一実施の形態では、固定手段41，42として特殊形状のボルト部材45およびナット部材46のみを用いる場合について説明したが、例えば図１０に示すように、固定手段41，42として、固定用ビス71、金具72、ばね座金73および固定用六角ナット74等を適宜用いてもよい。
【００４３】
また、パネル体を固定手段41，42にて固定した後に、パネル保持体61を笠木底板12から取り外すようにしてもよい。
【００４４】
さらに、パネル装置４をバルコニ１の手摺パネル部として用いた場合について説明したが、例えば階段の手摺パネル部、或いは手摺機能を持たない部分等にも適用することができる。
【００４５】
また、パネル装置４は、少なくとも２枚のパネル体（第１パネル体16および第２パネル体17）を備えるものであればよく、また、上側パネル支持体21は、パネル保持体61があれば必ずしも必要ではない。
【００４６】
さらに、各パネル体の材質は、ガラス製以外に、合成樹脂製、金属製、木製等としてもよく、各パネル体の形状も同一でも異なったものでもよく、任意である。
【００４７】
また、パネル保持体61は、パネル体の水平方向寸法によっては各パネル体に対して複数個設けるようにしてもよく、パネル保持体61の形状や寸法を可変させて設けてもよい。
【００４８】
さらに、パネル体は９０度或いはそれ以外の角度で屈折した屈折状、或いは屈曲した屈曲状のコーナー部用パネル体でもよく、このコーナー部用パネル体を出隅部や入隅部等において他の略矩形板状のパネル体とともに連続的に配設させる必要がある場合にも柔軟に設置対応することができる。
【図面の簡単な説明】
【００４９】
【図１】本発明の一実施の形態に係るパネル装置を具備したバルコニの正面図である。
【図２】同上パネル装置の断面図である。
【図３】同上パネル装置の斜視図である。
【図４】同上パネル装置の分解斜視図である。
【図５】同上パネル装置の固定手段の側面図である。
【図６】同上パネル装置の固定手段の側面図である。
【図７】同上固定手段のボルト部材の斜視図である。
【図８】同上固定手段のナット部材の斜視図である。
【図９】（ａ）ないし（ｃ）は、パネル体の固定作業を示す説明図である。
【図１０】本発明の他の実施の形態に係るパネル装置を示す分解斜視図である。
【符号の説明】
【００５０】
１    バルコニ
４    パネル装置
７    支柱部
16    第１パネル体
17    第２パネル体
19    固定部
22    パネル支持体である下側パネル支持体
32    取付部
33    第１突出部
34    第２突出部
37    凹状保持部分
41    第１固定手段
42    第２固定手段
45    ボルト部材
46    ナット部材
51    ねじ溝
52    軸状部
53    板状部
56    ねじ溝
57    筒状部
58    板状部
【図１】
2006112035.tif 000003
【図２】
2006112035.tif 000004
【図３】
2006112035.tif 000005
【図４】
2006112035.tif 000006
【図５】
2006112035.tif 000007
【図６】
2006112035.tif 000008
【図７】
2006112035.tif 000009
【図８】
2006112035.tif 000010
【図９】
2006112035.tif 000011
【図１０】
2006112035.tif 000012